(57)【要約】    【課題】  飲み零しや飲み残しの少ない飲料用缶容器を提供し、缶を大きく傾けても飲み零しを可及的に少なくし、衣服や顔の汚れ、床の汚れを防止し、軽く傾けるだけで中身を完全に飲み干して缶飲料の飲み残しを無くすことを目的とする。    【解決手段】  筒状有底缶容器で飲み口を有する飲料用缶容器の胴部上端に、下唇を当接させる突起部を一体的に形成し、鍔部に沿わせて飲料を直接下唇の上に注ぎ込み、口外へあふれ出すことなく飲料を口中へと誘導するのである。    【選択図】  図５
2006327625.tif 000002
【特許請求の範囲】
【請求項１】
有底筒状の容器本体と飲み口が設けられた蓋体とを備えた飲料用缶容器において、容器本体の上端部蓋部外周縁に、下唇を当接させる突起を一体的に形成したことを特徴とする飲料用新型缶容器。
【発明の詳細な説明】
【技術分野】
【０００１】
本発明は缶ジュ−ス、缶コ−ラ、缶ビ−ル、缶コ−ヒ−等の飲料用缶容器に関する。
【背景技術】
【０００２】
一般市場に流通している缶ビ−ルや缶コ−ラ、缶コ−ヒ−等の場合、アルミニウム製かスティ−ル製の缶になっており、プルタブ部分に設けられた開口部分はそれらの缶容器の大きさの割りに極端に小さいため、飲み零したり、飲み残したりされる場合が多い。（図７参照）
この缶容器１８は図７に示すように中空の円柱状に形成されており、側面及び底面をなす胴部２０と上面をなして缶容器１８内に飲料を密閉する上蓋１９とからなる。上蓋１９にはプルタブ２１が固定ピン２２によって固定されておりプルタブの端部２１ａを引き起こし、Ｕ字形の薄肉部リッドが押圧されて破断し、飲み口となる開口部２３が形成される。缶容器１８上部に設けられたこの飲み口は容器断面に比べてかなり狭く形成されている。２５は缶本体２０の外径寸法が縮径された縮径部であり、又、缶容器１８の底部２４は上げ底に形成されている場合が多い。
【０００３】
小さく形成された缶容器１８の開口部２３からは中身があふれ出して飲み零しを生じ、飲み零しを嫌って、缶を大きく傾けずにいると缶内に飲み残しが生じる。
【０００４】
缶容器の飲み口又は上蓋に関しては特開２００４−１８１８号公報に記載された発明があり、缶容器を保持、収納する缶保持筒と飲み口コップを着脱自在に螺合する構造を有するものがある。
【０００５】
また、上蓋面が口に触れることによる食味の変化を防ぐために上蓋を斜めに取り付け、上唇と上蓋間に空間を形成した特開平１０−２７３１２７号公報記載の発明がある。
【０００６】
また、缶容器の飲み口を示すために缶の蓋体に飲み口を指示するマ−クを付けたり、飲み口近辺の胴部に飲み口の位置を指示する凹凸を設けた実用新案登録第３００５４０２号の考案がある。
【特許文献１】特開２００４−１８１８
【特許文献２】特開平１０−２７３１２７
【発明の開示】
【発明が解決しようとする課題】
【０００７】
従来の飲料用缶容器のプルタブは開口部が狭い。
【０００８】
また、従来のコ−ラ用缶容器、コ−ヒ−用缶容器の場合、飲料の全てをうまく飲み干せない。従って、どうしても若干の飲み残しがあり、また、飲み零しも多い。駅舎や、学校、シティホ−ル等のドリンクコ−ナ−周辺の床の汚れが困ったことに常時、ひどい状態にある。
【０００９】
上述のようにジュ−ス、ビ−ル、コ−ヒ−等の飲料用缶容器の飲み口は蓋面積のわりに小さく形成されており、多少の揺れでも中身が零れないという長所がある反面、缶を大きく傾け過ぎると飲み口から飲料があふれ出し、顔、衣類、床等に零して、これらを汚してしまう。また、上げ底状の底面、上部の縮径部を有する缶容器は特に水流に乱れが生じ、飲み零しがひどくなる。
【００１０】
特許文献１記載の発明では、缶容器上部にコップを取り付けているため、自動販売機内に収納しづらく、またその都度コップを缶に螺合する手間が生じる。また部材点数が多くなり、製造コストが上昇する。
【００１１】
特許文献２記載の発明は、缶の上蓋を斜めに形成するため収納容量の減少を余儀なくされ、又缶胴部の上端と斜めに形成した上蓋との空間に飲料が溜まり、これを飲もうとすると缶の上端から飲料があふれ出てしまう。
【００１２】
また、登録第３００５４０２号の考案は一端、開封し、載置した缶容器を再度把持した時に、誤った方向から飲むことを避けるために、単に飲み口を指示するものであり、飲み零しや飲み残しを防止するものではない。
【００１３】
出願人は長年にわたり、ホテルやシティホ−ル等の商業施設や学校、駅舎等の公共施設の設計業に携わるものであり、このような施設の一角に自動販売機を設置して、あるいは店舗を開設して設けられる、ドリンクコ−ナ−の床の汚れに頭を痛めていた。即ち、飲み零したジュ−ス、コ−ラ、コ−ヒ−等で床が濡れ、不衛生だけでなく、床面が滑りやすくなり転倒の危険がある。さらに、糖分を含んだ清涼飲料水等は乾くと粘つき、そこへ、ほこりや靴の泥等が付着し、更に汚れをひどくしている。また、缶入り飲料という優れた携行性から新幹線や特急電車等の車輛内や街路等いたるところに持ち運んで缶飲料を飲む結果、飲み零しによる汚れはドリンクコ−ナ−の一角にとどまらず、あらゆる場所で終日絶え間なく生じている。
【００１４】
従来の、小さな開口部を有する飲料用缶容器はどうしても飲み残しを生じ、飲料を残したまま廃棄された缶容器から飲料が飛び散って、床や廃棄場所を汚すのである。
【００１５】
また、缶飲料の中身を飲み干そうと缶を大きく傾けている姿は余りスマ−トとはいえず、仕事や勉強等の合間に一息つこうと缶飲料を手にする、リラックスした心理状態には似つかわしくない。また、缶を大きく傾けることを嫌って多少の飲み残しがあることがわかっていてもそのまま缶を廃棄することがある。このような飲み残しの飲料が、ドリンクコ−ナ−の床や廃棄場所を汚す原因となるのである。
【００１６】
このような現状に憂慮した出願人が飲料の飲み零し、飲み残しを可及的に抑制する新型飲料缶容器を創作するに至ったのである。
【課題を解決するための手段】
【００１７】
飲料用缶容器の缶上部の外周縁に突起を形成し、これに下唇を当接して、直接注ぎ込むようにして飲料を口中にスム−ズに誘導させるのである。
【発明の効果】
【００１８】
１、３ｍｍｘ５ｍｍの突出部分が（図１、２参照）が下唇に接することにより缶内の飲料を飲む体勢がピタリと決まるので口を軽く開ける程度で、また、缶をせいぜい３０度程度軽く傾けるだけで缶内の飲料を飲み零すことなく、さらに飲み残すことなく飲み干すことができるのである。
２、飲み口を塞ぐように大きく口を開ける必要がなく、軽く口を開くだけで飲み零しが少ないので、リラックスタイムをより楽しむことができる。
３、３０度程缶を傾けるだけで、楽に飲料を飲むことができ、大きく缶を傾けることをためらって缶内に飲み残しを生じない。従って、飲料を最後まで容易に飲み干すことができると共に、缶が飲み残しの飲料と共に廃棄されることによる、ゴミ箱や床の汚れを防ぐことができる。
４、缶容器の上部外周縁に僅かな突起部を設け、これに下唇を当接させ、下唇上に直接飲料を注ぎ込むようにすることで、缶容器内の飲料が突起部に誘導されてスム−ズに口中に流れ込み、缶を大きく傾けても飲み零しを生じにくい。
【発明を実施するための最良の形態】
【００１９】
次に本発明の最良の実施形態について図面を参照しながら説明する。
【実施例１】
【００２０】
図１が請求項１記載の飲み零しの少ない新型缶容器１の使用状態を示す説明図であり、図２が図１に示すＡ部分（突起部分）の拡大詳細図である。
【００２１】
更に、図３が、新型缶容器１の正面図、図４が平面図、図５が同、斜視図である。
【００２２】
アルミ上蓋２の中央部にはプルタブ３がピン４によって固定されており、プルタブ３を押圧することにより飲み口となる開口部５が形成される。６が缶胴部の上端であり、これの外周縁に、缶容器の上蓋２と同素材で突起７を一体的に形成するのである。突起７は幅５ｍｍで缶胴部８から３ｍｍ突出している。また、缶の底面９はほぼ平らに成形することが望ましい。これは、従来の缶容器のように缶底を上げ底に成形した缶容器は水流に乱れが生じ、飲み口からスム−ズに飲料が流れ出さず、あふれ出ることがある。缶の底面９をほぼ平らに成形することで、飲み零しをより効果的に抑制できるからである。
【００２３】
本発明では、突起７の厚みを５ｍｍとし、缶胴部８からの突出幅を３ｍｍとした。
【００２４】
僅かに３ｍｍだけ缶胴部から突出させるだけなので従来の缶飲料を飲む時のように違和感なく缶に下唇を当接できる一方で、飲料を口中にスム−ズに注ぎ込むのには十分な突出幅なのである。一方、この突起の厚みは、次のように定められた。
【００２５】
図２は缶の蓋周辺部分に設けるべき突起部分の拡大詳細図であるが、突起部分の出幅が３．０ｍｍであるので、缶容器を３０度傾けた時、厚みは３ｍｍの√３倍である、５．１９６ｍｍ、≒５．０ｍｍとなり、これより約５ｍｍという突起７の幅が算出されるのである。
【００２６】
但し、本発明は上記実施例の素材、突起の厚み、突出幅に限定されるものではなく、本発明の趣旨から逸脱しない範囲において、任意の素材や寸法に変更しても良い。
【００２７】
この飲料用缶容器から実際に飲料を飲むときは図１の使用状態説明図に示すように、下唇１０を、突起７に当接させ、飲み口１１に上唇を合わせて缶を傾けるのである。
【００２８】
上蓋２及び突起７はアルミのシルバ−仕上げ材を使用することが望ましい。同、仕上を施したアルミはゴミやほこりが付着しにくく、また飲む直前にティッシュや布片で、飲み口をひとふきするだけで、付着物は除去される。
【実施例２】
【００２９】
アルミのシルバ−仕上材（ヘアライン仕上）で上蓋及び突起を形成すると、ゴミやほこりの付着を防止すると共に、容易にこれらを拭き去れるので衛生的であるが、更に衛生的な飲料用缶容器を提供するために、図６のように突起をカバ−部材で覆う方法がある。飲料用缶容器１２の上蓋１３の外周縁に一体的に形成された突起１４を透明フィルム状のビニルによって形成されたカバ−部材１５で覆うのである。カバ−部材１５にはミシン目１６が設けられており、ミシン目１６を破断する舌片１５ａがカバ−部材１５に設けられている。
【００３０】
自動販売機等で、飲料用缶容器１２を購入した者は舌片１５ａをつまんでミシン目１６に沿ってこれを引上げ、カバ−部材１５を取り除くと、汚れやほこりが付着していない突起１４に安心して下唇を当接させて中身を飲むことができるのである。
【００３１】
このカバ−材を上蓋１３の中央まで延出して飲み口１７全体を覆うようにすると更に衛生的である。
【産業上の利用可能性】
【００３２】
本発明はジュ−スやコ−ラ、ビ−ル、酒、コ−ヒ−等の飲料用缶容器に利用することが可能である。また、缶容器にとどまらず、飲料を収納する収納容器全般に利用することもできる。
【図面の簡単な説明】
【００３３】
【図１】請求項１記載の飲み零しの少ない新型缶容器を使用している状態を示す説明図。
【図２】Ａ部分拡大詳細図。
【図３】請求項１記載の飲み零しの少ない新型缶容器の正面図。
【図４】同、平面図。
【図５】同、斜視図。
【図６】他の実施例を示す斜視図。
【図７】従来の飲料用缶容器の平面及び正面図。
【符号の説明】
【００３４】
１、１２、飲料用缶容器    ２、１３、上蓋    ７、１４、突起    ９、底面    １５、カバ−部材
【図１】
2006327625.tif 000003
【図２】
2006327625.tif 000004
【図３】
2006327625.tif 000005
【図４】
2006327625.tif 000006
【図５】
2006327625.tif 000007
【図６】
2006327625.tif 000008
【図７】
2006327625.tif 000009